(57)【要約】【課題】従来の血圧計は、血圧測定前に被測定者が肉体的安静状態及び精神的安定状態にあることをノンストレスで測定できないという課題があった。【解決手段】マイクロ波発生器とマイクロ波受信器とを備え、このマイクロ波受信器により検出されるドップラシフトした反射波から、被測定者の脈拍、呼吸の少なくとも１つを検出し、この検出結果を基に血圧測定を開始する。被測定者の状態を非接触で検出できるから、ノンストレスで被測定者の状態を知り得ることができる。血圧測定の結果と血圧測定前の肉体的安静状態及び精神的安定状態とを対応させて記録することもできるので、血圧測定が正しく行なわれたかを血圧測定後に知ることもできる。【選択図】図３
2012157435.tif 000002
【特許請求の範囲】
【請求項１】
被測定者の測定部位を拘束することにより血圧を測定する血圧計において、
マイクロ波発生器とマイクロ波受信器とを備え、前記マイクロ波発生器より前記被測定者にマイクロ波を照射し、前記マイクロ波受信器により検出されるドップラシフトした反射波から、前記被測定者の脈拍、呼吸の少なくとも１つを検出し、この検出結果を基に前記拘束を開始する時期を決定し、血圧を測定することを特徴とする血圧計。
【請求項２】
前記決定は、所定時間内の前記脈拍及び前記呼吸の数である脈拍数、呼吸数の少なくとも１つが所定の範囲内のときに行うことを特徴とする請求項１に記載の血圧計。
【請求項３】
前記脈拍数又は前記呼吸数を前記血圧の値に対応させて記憶するメモリ手段を備えることを特徴とする請求項２に記載の血圧計。
【請求項４】
前記測定部位と前記被測定者の心臓との相対高さ位置が適正範囲となる適正位置を検出する適正位置検出手段を備え、
前記決定は、前記脈拍数又は前記呼吸数と前記適正位置とを用いて行うことを特徴とする請求項２又は３に記載の血圧計。
【請求項５】
前記適正位置検出手段は、前記被験者の脈拍又は呼吸を用いて検出することを特徴とする請求項４に記載の血圧計。
【発明の詳細な説明】
【技術分野】
【０００１】
本発明は、腕部などに装着する血圧計に関し、特に血圧測定前の被測定者の身体の情報を合わせて記録できる血圧計に関する。
【背景技術】
【０００２】
以前は家庭内での血圧測定は、あまり厳密な測定結果が要求されておらず、日常体調管理の一環としてその測定結果を管理する程度で良く、厳密な測定結果は要求されていなかった。
また、正しく血圧を測定するという行為も重要視されてはいなかったため、測定した血圧値が正しい測定の下に得られた値かどうかを議論することもなかった。
【０００３】
近年は、日常体調管理の重要性が見直されており、最近の報告では、２４時間自由行動下で複数回血圧値を測定することがよいとされている。
２４時間に複数回血圧値を測定すれば、任意のタイミングで測定する通常の家庭内血圧測定では得られない血圧値の変動を知り得ることができる。つまり、血圧値を単発測定ではなく複数回測定で知れば、血圧値の変動に関係する被測定者の疾病などが見つけやすくなるという考え方である。
【０００４】
例えば、通常、夜間や睡眠中は血圧が低下するが、高血圧症の中にはそれが起きない人がいると言われている。また、夜間に血圧が上昇する人もいる。このような人の場合、本来は血管に負担がかからない夜間や睡眠中にも関わらず負担がかかり続けているため、心筋梗塞や脳梗塞などが発症しやすいといわれている。
このように、一日のなかでの血圧値の変動を知ることで、高血圧症のみならず、高血圧が関係するといわれている他の疾病も検知するきっかけとすることができる。
【０００５】
近年、仮面高血圧、職場高血圧、白衣高血圧などという言葉が知られている。
仮面高血圧とは、正常な血圧であるという仮面をつけた高血圧という意味であり、実際は高血圧であるのに、血圧を測定するときには低い血圧値を示してしまうというものである。
【０００６】
職場高血圧は、仮面高血圧に属するものである。例えば、被測定者が仕事などで肉体的に疲労していたり、精神的にストレスを受けて高血圧症になっているのであるが、家庭内や病院又は職場の健康診断などでは疲労やストレス要因から解放されるので、リラックス状態となり、そのときに測定した血圧値は低い値を示してしまうというものである。
白衣高血圧とは、家庭内で測定する血圧は正常なのに、病院で測定する血圧は高くなるというものである。
【０００７】
白衣高血圧は、病院という環境に身を置くことや白衣を目視することで引き起こされるものであるから、被測定者自身も比較的認識しやすいといわれているが、仮面高血圧及び職場高血圧は、実際には高血圧症であるにも関わらず測定した数値にそれが反映されないため、被測定者はもとより医師などもそれを認識しにくいという問題がある。
【０００８】
このような、被測定者自身も認識しにくいような症状も、一日のなかでの血圧値の変動を知ることができれば、発見されやすくなる。
【０００９】
このように、日常体調管理の一環として血圧測定の重要性が高まってきているため、正しく血圧測定する行為も重要視されはじめた。
【００１０】
正しい血圧測定を実施するためには、２つの条件を満たす必要がある。１つは、被測定者自身が正しい血圧測定を行う状態にあることである。もう１つは、血圧計自体を正しく運用することである。
【００１１】
まず、被測定者自身が正しい血圧測定を行う状態にあることについて説明する。
一般的な考え方として、肉体的緊張や精神的緊張状態にあると、血管が収縮してしまうため、見かけ上、高い血圧値となってしまう。これでは被測定者自身が正しく血圧値を測定する状態にあるとはいえない。
このため、血圧測定時には、緊張状態から開放して臨むことが大切であり、例えば、深呼吸をしてから測定に臨むことや、数分前からリラックスした姿勢で待つなどを推奨する場合が多い。
【００１２】
つまり、血圧測定は、緊張を解きノンストレス（リラックスしているなど、ストレスが掛かっていない）状態で臨むのが好ましく、こうすれば被測定者自身が正しい血圧測定を行うための１つ目の条件が満たされたといえる。
【００１３】
ところで、このように測定した血圧値を基底血圧値と呼ぶ。この基底血圧値は、被測定者本来の血圧値であると言ってよい。
日常体調管理の一環として血圧値を管理するためには、この基底血圧値を測定する必要があるが、被測定者がノンストレス状態にあるか否かを調べること、換言すると、被測定者の肉体的安静状態や精神的安定状態を把握することは、とても難しい。被測定者自身がリラックスしているつもりでも、実際はそうではなく、肉体的緊張や精神的緊張状態であるからである。
【００１４】
このような被測定者の状態を、脈や呼吸を測定することで予想することが知られている。
例えば、脈拍数が高ければストレスを感じているとし、脈拍数が低ければノンストレスとするものである。また、呼吸の周期を測定し、その周波数が高ければストレスを感じているものとする。あるいは、呼吸の数を測定し、その呼吸数が多くなるとストレスを感じているとするものである。
【００１５】
具体的に、脈や呼吸を用いてストレス状態を推測する方法は次のようなものがある。
例えば、睡眠中又は入眠直前の脈拍数や呼吸数を測定しておき、これを基底脈拍数や基底呼吸数として記録し、血圧測定直前に再び脈拍数や呼吸数を測定し、その数値を比べるという方法である。こうすれば、その数値が一定以上多ければ、ストレス状態にあるということがわかる。ただし、呼吸は、被測定者が意識することでその数値を変えることができるため、確度の点では劣っている。そこで、脈を用いて被測定者の肉体的や精神的状態を予想することが多い。
【００１６】
上述のように、脈や呼吸を用いてストレス状態を推測する方法は、血圧測定前に脈や呼吸を測定しなければならないため、手間が掛かる。
そこで、電子血圧計の場合、血圧測定と同時に脈拍数も測定することができるものもある。このようにすれば、１回の測定行為で済むため便利である。
【００１７】
次に、血圧計自体を正しく運用することについて説明する。
血圧計を正しく運用するには、カフなどの血圧測定部を正しく身体の被測定部位に装着することはもちろんであるが、それに加えて、血圧を測定する部位と心臓との位置関係を適正位置にするということも重要である。適正位置とは、被測定部位と心臓とが同一の高さとなる位置をいう。
【００１８】
血圧を測定する部位が適性位置にないと、その部位の血管の状態が変わり、正しい血圧が測定できない。
心臓よりも被測定部位が低い位置にあると、血圧が高く測定されてしまうことがある。例えば、心臓よりも被測定部位が１０ｃｍ下がると、血圧は７ｍｍＨｇ上がると言われている。
【００１９】
すなわち、被測定者が適正位置で血圧測定する状態が、血圧計自体を正しく運用するということなのである。こうすれば被測定者自身が正しい血圧測定を行うための２つ目の条件が満たされたといえる。
【００２０】
なお、この適正位置は、心臓と被測定部位との相対高さ位置が適正範囲にあるという意味を含んでいる。適正範囲とは、心臓と被測定部位とがほぼ同じ高さであるという意味を含んでおり、血圧を測定する部位と心臓との位置関係を適正位置にするということは、厳密に寸分の狂いもなく心臓と被測定部位とが同じ高さでなければならないという意味ではない。
【００２１】
ところで、近年では、その被測定部位は上腕部がよいと言われている。
その理由は、そもそも上腕部にカフなどを装着しやすいという点と共に、臥位、つまり寝た姿勢でも被測定部位と心臓とが同じ高さにしやすいという点とがあるからである。
【００２２】
以上のように、正しい血圧測定を実施するためには、被測定者自身がノンストレス状態にあることと、血圧計自体が適正位置で測定されていることとの２つが揃わなければならないが、電子血圧計にあっては、それぞれを別個に解決する技術が知られている。
例えば、血圧測定前に被測定者をリラックス状態にするようにし、その後に血圧測定を開始する技術が知られている（例えば、特許文献１参照。）。
また、被測定部位を手首とし、血圧計本体又は血圧測定部にセンサを搭載して、被測定部位の位置を計測することにより、適正位置で血圧測定ができるようにする技術が知られている（例えば、特許文献２参照。）。
【先行技術文献】
【特許文献】
【００２３】
【特許文献１】特開２０１０−１５８２８９号公報（第４頁、図２）
【特許文献２】特許第３２９７９７１号公報（第２−３頁、図２、図７、図８）
【発明の概要】
【発明が解決しようとする課題】
【００２４】
特許文献１に示した従来技術は、カフ本体２０の内部に呼吸信号検出手段４０（エア圧検出センサ）を搭載しており、カフ本体２０を被測定部位に装着し、加圧した状態で被測定者の呼吸を測定する。そして、測定した呼吸情報を用いて被測定者の安静状態を判断する。
【００２５】
しかし、この技術は、カフ本体２０に呼吸信号検出手段４０を搭載しているため、カフを捲いて加圧した状態でしか呼吸を測定することできない。つまり、血圧測定前に被測定者の状態を知るときに、加圧するというストレスを掛けた状態でしか測定できない。
【００２６】
すでに説明したように、血圧測定時はリラックスして臨むのが好ましく、緊張状態であると血管が収縮し、正しい血圧が測定できない。特許文献１に示した従来技術は、カフ本体２０による拘束があるため、被測定者は少なからずストレスが掛かっている。これでは、被測定者の肉体的安静状態や精神的安定状態を正しく知ることはできず、その状態で測定
した血圧値は、被測定者の基底血圧値であるかが分からないという問題がある。
【００２７】
すでに説明したように、呼吸の検出をカフ本体２０に搭載した呼吸信号検出手段４０で行なっているが、腕部に装着したカフ本体２０では、正確に呼吸を検出することは難しい。呼吸を検出するには、呼吸動作に伴う体動や二酸化炭素排出量などを用いることが知られているが、腕部ではそれらを正確に知る得ることは難しい。
【００２８】
さらにまた、特許文献１に示した従来技術は、呼吸信号検出手段４０を椅子やベッドなどに設置することや身体に間接的に装着することを示唆している。
しかし、具体的な技術内容は開示されておらず、どのような仕組みを用いてどのように間接的に呼吸を計測するか不明である。つまり、思想が紹介されているだけであって、技術が完成しているとはいえない。
【００２９】
特許文献２に示した従来技術は、傾斜センサを用いて心臓の高さを測定する方式であり、間接的に心臓の位置を類推する。
しかし、このため、測定精度が悪く、測定結果への信頼性が低く、また肘からの角度で規定するため測定姿勢が変則的になって、適正位置に合わせ難いという問題がある。
【００３０】
また、特許文献２に示した従来技術は、心音センサを用いて心臓位置を測定する方式も開示している。身体の心臓部付近に心音センサを内蔵した手首装着式血圧計を近接させて、直接心臓の位置を探っていく方式である。
しかし、心音の検出にマイクロホンを使用しているため、被測定者は服を脱ぎ胸を露出する必要がある。着衣のまま血圧測定ができないことは大変不便である。
さらに、心音センサは、外部の大きな音響雑音の影響を受けやすく、検出感度が低下して、心臓の位置に対応するピーク値の検出が不安定になるという問題もある。
【００３１】
本発明の目的は、上記従来の問題を解決し、血圧測定前の被測定者の肉体的安静状態や精神的安定状態を正しく知ることができ、正しい血圧測定が行える血圧計を提供することにある。また、正確な心臓位置も検出できるから、信頼性の高い血圧測定が行える。
【課題を解決するための手段】
【００３２】
上記課題を解決するため、本発明の血圧計は下記記載の構成を採用する。
【００３３】
被測定者の測定部位を拘束することにより血圧を測定する血圧計において、
マイクロ波発生器とマイクロ波受信器とを備え、マイクロ波発生器より被測定者にマイクロ波を照射し、マイクロ波受信器により検出されるドップラシフトした反射波から、被測定者の脈拍、呼吸の少なくとも１つを検出し、この検出結果を基に拘束を開始する時期を決定し、血圧を測定することを特徴とする。
【００３４】
このような構成とすれば、マイクロ波は衣服を透過する性質があり、主に多量の血液を含む心臓に反射されるので、着衣のままでも脈拍、呼吸、体動が検出できる。
そうすれば、直前の被測定者の脈拍や呼吸を調べることができ、その後に血圧測定を開始することができる。
【００３５】
拘束を開始する時期の決定は、所定時間内の脈拍及び呼吸の数である脈拍数、呼吸数の少なくとも１つが所定の範囲内のときに行うようにしてもよい。
【００３６】
このような構成にすれば、脈拍と呼吸を理解しやすい数値にでき、その数値に基づいて血圧を測定するときを決定できる。
【００３７】
脈拍数又は呼吸数を血圧の値に対応させて記憶するメモリ手段を備えるようにしてもよい。
【００３８】
このような構成にすれば、後からその情報を用いることができるので便利である。
【００３９】
測定部位と被測定者の心臓との相対高さ位置が適正範囲となる適正位置を検出する適正位置検出手段を備え、拘束を開始する時期の決定は、脈拍数又は呼吸数と適正位置とを用いて行うようにしてもよい。
【００４０】
このような構成にすれば、正しい血圧測定ができる。
【００４１】
適正位置検出手段は、被験者の脈拍又は呼吸を用いて検出するようにしてもよい。
【００４２】
マイクロ波受信器により検出されるドップラシフトした反射波を用いて脈拍や呼吸が検出できるので、このようにすれば、体の状態を調べる手段と適性位置を調べる手段とを共通化できるので、装置の小型化、測定の簡便化などができる。
【発明の効果】
【００４３】
本発明の血圧計によれば、被測定者の精神的安定状態又は肉体的安静状態を正しく知ることができ、その状態となってから血圧測定することができるから、正しい血圧測定ができる。
【００４４】
また、ドップラシフトした反射波を検出するので、被測定部位と心臓との位置も知ることができる。これにより適正位置で血圧測定できるから、信頼性の高い血圧測定を行うことができる。
【図面の簡単な説明】
【００４５】
【図１】本発明による血圧計の原理を説明する模式的なブロック図ある。
【図２】第１の移動状態及び第２の移動状態を説明する図である。
【図３】本発明による血圧計の第１の実施形態の構成を示す機能ブロック図である。
【図４】本発明による血圧計の第の実施形態の動作を説明する波形図である。
【図５】本発明による血圧計の第1の実施形態の動作を示すフローチャートである。
【図６】本発明による血圧計の第１の実施形態の表示例を説明する図である。
【図７】本発明による血圧計の第２の実施形態の構成を示す機能ブロック図である。
【図８】本発明による血圧計の第２の実施形態の動作を説明する波形図である。
【図９】本発明による血圧計の第２の実施形態の動作を示すフローチャートである。
【図１０】本発明による血圧計の第２の実施形態の表示例を説明する図である。
【発明を実施するための形態】
【００４６】
本発明の血圧計は、マイクロ波ドップラセンサを用いて、被測定者の身体にマイクロ波を照射し、その反射波を受信することで、非接触かつストレスなく被測定者の脈拍、呼吸を測定し、その結果を用いて、被測定者の精神的安定状態又は肉体的安静状態を知る。
【００４７】
被測定者の身体で反射したマイクロ波の反射波には、脈拍、呼吸、体動が混入している。脈拍、呼吸、体動は、固有の周波数成分を有している。一般に脈拍に関わる周波数よりも呼吸に関わる周波数の方が低い。このような傾向もあるから、マイクロ波ドップラセンサから得られる信号をフーリエ変換した周波数成分の分布からピーク値を選択する周波数閾値範囲を、脈拍や呼吸を検出するようにそれぞれ設定することで、脈拍と呼吸とを計測できる。
【００４８】
体動は、被験者の体が痙攣などを起こしていなければ、一般的にはその周波数は低く、周波数分布のピーク値も低いため、脈拍や呼吸と容易に見分けることができる。
脈拍や呼吸は、所定時間内（例えば１分間）の脈拍及び呼吸の数である脈拍数、呼吸数として認識すれば、ストレス状態かノンストレス状態かなどを知ることができ、つまり被測定者の状態を知り得ることができる。
【００４９】
そして、反射波から検出できる脈拍、呼吸、体動のうち、脈拍及び呼吸を検出できるということを用いて、血圧測定における血圧計の適正位置を検出することができる。
つまり、血圧計の血圧測定部からマイクロ波を身体に照射しつつこれを動かし、心臓との高さを一致させて適正位置を探すとき、反射波に含まれる脈拍又は呼吸による信号の強弱により、血圧測定部が適正位置に達したかが分かるのである。これにより、適正位置での血圧測定ができることから、さらに信頼性の高い血圧値を得ることができるのである。
【００５０】
このような、被測定者自身の状態の測定と血圧計自体の適正位置の測定とには、照射したマイクロ波の反射波を用いるという共通項目があるから、被測定者の精神的安定状態又は肉体的安静状態の検出と、血圧測定における血圧計の適正位置の検出とを、１つの信号処理で行なうことができる。
【００５１】
このようにマイクロ波ドップラセンサを用いることで、非接触で被測定者にとってストレスを受けないことに加え、着衣状態でも測定できるというメリットを有するが、さらに、測定した被測定者の脈拍や呼吸を血圧計の適正位置検出にも用いることができるのである。
そうすれば、被測定者の脈拍や呼吸を別々に測定する手段を備える必要がなくなり、血圧計自体を小型にすることができると共に、測定時間も短縮することができる。
【００５２】
血圧計は、血圧測定開始時に血圧計を装着した部位、例えば手首が身体のどの位置（腕を下げているのか、持ち上げているのかなど）が分からない。その状態から、血圧計を適正位置に移動させるとき、マイクロ波ドップラセンサから得られる信号を処理し、第１の移動検出手段は、その信号が所定の値を超える飽和振幅の回数で大きな腕部の移動状態を検出する。第２の移動検出手段は、フーリエ変換した周波数成分分布の基本波（ピーク値）が所定の周波数閾値範囲に入っているか否か（脈拍や呼吸が正常に検出されたか否か）で適正位置に血圧計があるか否かを検出する。
【００５３】
第２の移動検出手段が処理する信号は、マイクロ波ドップラセンサから得られる信号であるから、脈拍や呼吸や体動が混入している。この信号をフーリエ変換処理することで、それぞれの周波数成分が分かる。それを用いて、体動を除く脈拍又は呼吸を用いて被測定者の精神的安定状態又は肉体的安静状態を調べるのである。
【００５４】
そして、メモリ手段を備えて、脈拍数や呼吸数を、血圧測定を行なったときの時刻情報と対応させて記録することで、血圧測定に臨むとき（つまり血圧測定直前）の被測定者の状態をより詳しく記録することができる。血圧計が適正位置になったことも合わせて記録すれば、後からでも血圧測定が適正に行なわれたことと、そのときの被測定者の状態とを知り得ることができるのである。
【００５５】
第２の移動検出手段は、被測定者の脈拍数や呼吸数を検出するが、後述する第１の実施形態では、脈拍数のみを検出する例を、第２の実施形態では、脈拍数に加えて呼吸数も検出する例を説明する。
【００５６】
このように、血圧値に加えて被測定者の状態も記録できるので、例えば、２４時間自由行動下での複数回の血圧測定による血圧値の変化を調べるときであっても、被測定者の肉
体的安静状態や精神的な安定状態の変化が知り得ることができ、正しい血圧測定ができるのである。
【００５７】
本発明の血圧計は、被測定者の脈拍や呼吸を測定し、その結果からストレス状態かノンストレス状態かといった被測定者の状態を知り得ることができる。そのための仕組みのひとつである脈拍や呼吸の検出は、マイクロ波ドップラセンサを用いて行う。このため、脈拍や呼吸の検出結果を血圧計の血圧測定部と心臓との高さを一致させる適正位置の発見にも用いることができる。
適正位置検出を省略することができることは無論であるが、以下説明する実施の形態では、ストレス状態の検出と適正位置検出とを行う場合を例にして説明する。
【００５８】
以下、本発明の血圧計を図面を用いて詳述する。
血圧計そのものは、血圧を測定するカフなどを有する血圧測定部と制御回路や報知手段などを搭載した血圧計本体とが別体であっても、知られている手首装着式血圧計のようなカフと血圧計本体とが一体となるようなものであっても構わない。以下の説明にあっては、カフと血圧計本体とが一体となる構成を例にして説明する。
【実施例１】
【００５９】
以下、図１から図６を用いて本発明の血圧計の第１の実施形態を詳述する。第１の実施形態の特徴は、被測定者の脈拍数を検出することで被測定者の状態を調べるものである。
なお、説明においては、血圧計を主に左手首に装着した場合を例に説明を行う。
【００６０】
［本発明の原理的説明：図１］
初めに、どのような仕組みでマイクロ波ドップラセンサによって、脈拍や呼吸や体動を検出できるか、そして、どのようにして血圧計と被測定者の心臓とが適正位置にあるかが検出できるかについて詳述する。図１は、血圧計の原理を説明するため模式的に示すブロック図である。
【００６１】
図１において、マイクロ波ドップラセンサ２１は、例えば、約２．５ＧＨｚのマイクロ波を発射するマイクロ波発信器２１１と、照射したマイクロ波を受信するマイクロ波受信器２１２と、マイクロ波ドップラ復調器２１３とで構成されている。
【００６２】
マイクロ波ドップラセンサは、一般的なマイクロ波ドップラセンサを用いることができる。マイクロ波ドップラセンサには、その出力信号がアナログ信号のものとデジタル信号のものとがあるが、本実施形態では、図１に示すように、マイクロ波ドップラ復調器２１３からの信号はアナログ信号であり、マイクロ波ドップラセンサ２１にはアナログ信号をデジタル信号に変換するＡＤ変換器を搭載していない例で説明をする。
【００６３】
マイクロ波発信器２１１から発射されたマイクロ波Ｍｅは一部が被測定者８の中に入り、心臓８１で反射して反射波Ｍｔとなって再び被測定者８を経由してマイクロ波受信器２１２で受信される。
マイクロ波発信器２１１は、発信したマイクロ波Ｍｅに相当する電気信号である送信マイクロ波信号Ｅｍｅを出力し、マイクロ波受信器２１２は、受信した反射波Ｍｔに相当する電気信号である受信マイクロ波信号Ｅｍｔを出力する。
【００６４】
マイクロ波ドップラ復調器２１３は、送信マイクロ波信号Ｅｍｅと受信マイクロ波信号Ｅｍｔとから、２つの信号の位相差信号である電気信号を、電気信号Ｅｏとして出力する。
【００６５】
すなわち、電気信号Ｅｏには心臓の動きに対応したドップラシフトが生じているので、
このドップラシフトから心臓の動きを電気信号に変換することが可能となるのである。
【００６６】
もちろん、電気信号Ｅｏには、心臓の動きだけに対応したドップラシフトが生じているわけではない。脈拍、呼吸、体動の要素が混じっている。しかしこれらは、すでに説明したように固有の周波数成分を有しているから、後述するフーリエ変換を用いた手法により、周波数成分の分布からピーク値を選択する周波数閾値範囲を、脈拍や呼吸に合わせることでこれらを検出することができる（体動を脈拍や呼吸と分かつことができる。）。
【００６７】
［血圧計の移動状態の説明：図２］
次に、適正位置に血圧計を移動する移動状態を図２を用いて説明する。
すでに説明したように、血圧計は、被測定者の精神的安定状態又は肉体的安静状態を正しく知ることと、血圧測定開始時に血圧計を装着した部位が適正位置にあるか否かということとを１つの信号処理で調べることができるから、まずマイクロ波ドップラセンサと被測定者の心臓とを接近させる必要がある。そのために、血圧計を移動させるのである。
【００６８】
図２（ａ）から図２（ｅ）は、血圧計１を被測定者８の左腕８ａの手首に装着し、血圧測定を開始するまでの腕の移動状態を説明するために模式的に表した図である。図２（ｆ）は、被測定者を頭頂部より見下ろした状態を示す図であり、被測定者の胸部前面を説明する図である。
【００６９】
図２（ａ）に示すように、血圧計１を装着し、図示しないスイッチ操作によって血圧測定を開始したときの状態である。例えば、血圧計１を左手首に装着し、右手でスイッチ操作する。
図２（ｂ）に示す矢印のように徐々に左腕を移動させ、図２（ｃ）に示す矢印のように、血圧計１が被測定者８の胸部前面８ｂに移動するようにする。この図２（ｂ）と図２（ｃ）とに示す腕（血圧計）の移動状態が第１の移動状態である。
【００７０】
ところで、胸部前面８ｂは、図２（ｆ）に示すように、身体の前面という意味を含む概念である。心臓は左胸か、左胸よりやや右寄りにある場合が多いから、その心臓の鼓動を検出するときは、左胸前が適していよう。しかし、マイクロ波ドップラセンサ２１を用いているために、正確に左胸前でなくとも心臓の鼓動を検出することができる。例えば、左胸斜め横側（左わき腹の上、脇の下のやや下位置）であっても、胸中央、被測定者によっては右胸前であっても検出することができる。このため、発明者は、胸部前面という範囲を図２（ｆ）に示す胸部前面８ｂのエリアを定義している。
【００７１】
その後、図２（ｄ）に示すように、血圧計１が胸部前面８ｂの位置から、心臓８１と同じ高さになる適正位置までさらに腕を移動させる。この移動状態が第２の移動状態である。なお、図２（ｅ）は、血圧計１と心臓８１との高さが同一となり、適正位置になった状態を示している。
【００７２】
血圧計１が第１の移動状態にあるときは、血圧計１自体が大きく動いている状態である。また、第２の移動状態にあるときは、血圧計１は小さく動いている状態である。
詳しくは後述するが、第１の移動状態であるときは、図１に示すマイクロ波ドップラセンサ２１から出力される電気信号Ｅｏの振幅を用いてそれを検出し、第２の移動状態にあるときは、電気信号Ｅｏに含まれる信号の周波数成分（脈拍、呼吸、体動が混じった成分）を用いて、例えば脈波を検出し、この脈波により適正位置を見つけるのである。
【００７３】
そして、脈波を検出したならば、その脈波から所定時間（例えば、１分間）当たりの脈拍数を算出し（呼吸であれば呼吸数を算出し）、被測定者がノンストレス状態か否かを調べる。
その結果、被測定者がノンストレス状態であるときに、その検出結果を基に血圧測定を行うために拘束を開始する（カフにエアを送るなど）時期を決定し、血圧を測定する。
【００７４】
このように、マイクロ波ドップラセンサから出力される電気信号の振幅と周波数とを、それぞれ２つの移動状態の検出に使うという点が、本発明の血圧計の特徴であり、脈拍、呼吸による被測定者のストレス状態の測定と、血圧測定時に血圧計が適正位置にあるか否かの測定とを同時に行なう。
【００７５】
なお、以下の説明において、マイクロ波ドップラセンサ２１を用い、電気信号Ｅｏから生体の動きを検出する手法を「マイクロ波センシング」と略記する。
【００７６】
［血圧計の構成説明：図３］
次に、図３を用いて血圧計の構成を説明する。
図３は本発明による血圧計の、機能的な構成を説明する機能ブロック図である。
【００７７】
図３において、血圧計１は、血圧測定部位が心臓の高さに対して適正か否かを検出する適正位置検出手段２と、血圧を測定し表示する血圧測定手段３と、測定結果を視覚的に表示する表示部４１及びアラーム音や音声といった音響手段で報知する報知部４２を備える報知手段４と、測定開始スイッチ５、日時などの時刻情報を生成する計時回路６とを有している。なお、すでに説明した構成には同一の番号を付与している。
【００７８】
［適正位置検出手段２の説明］
まず、適正位置検出手段２の構成を説明する。
図３に示すように、適正位置検出手段２は、第１の移動検出手段２５と第２の移動検出手段２４とで構成している。
第１の移動検出手段２５は、マイクロ波Ｍｅを発信し反射波Ｍｔを受信するマイクロ波ドップラセンサ２１と、第１の時間情報Ｔ１に基づきマイクロ波ドップラセンサ２１の出力である電気信号Ｅｏをデジタル信号Ｄｏに変換する変換器（以下、ＡＤ変換器と略記する）２２と、デジタル信号Ｄｏが飽和状態になったことを検出し第１の移動状態が終了したことを告げる第１の移動状態終了信号Ｄｓを出力する信号飽和検出回路２３と、で構成している。
第２の移動検出手段２４は、ＦＦＴ回路２４２と、脈波検出回路２４３と、血圧測定判定回路２４５と、測定条件メモリ２４４と、で構成しており、血圧測定信号Ｍｓを出力する。
【００７９】
更に詳細には、第２の移動検出手段２４は、第２の時間情報Ｔ２に基づきデジタル信号Ｄｏを所定時間蓄積してＦＦＴ（Ｆａｓｔ Ｆｏｕｒｉｅｒ Ｔｒａｎｓｆｏｒｍ：高速フーリエ変換、以下ＦＦＴと略記する）処理により周波数スペクトラム情報である基本波Ｂｆを出力するＦＦＴ回路２４２と、基本波Ｂｆを入力して脈波データＰｏを出力する脈波検出回路２４３と、脈波データＰｏを入力して血圧測定信号Ｍｓを出力する血圧測定判定回路２４５とで構成される。
【００８０】
詳しくは後述するが、脈波検出回路２４３が出力する脈波データＰｏを統計的に処理することにより脈波を得ることができる。血圧測定判定回路２４５は、この脈波データＰｏから脈拍数を算出できる。例えば、図示はしないが、計時回路６から時間情報を得て１分間の脈拍数として算出する。そして、その脈拍数が分かれば被測定者の精神的安定状態又は肉体的安静状態を知ることができる。
【００８１】
ところで、一般的に安静時における成人の脈拍数は、６０〜８０と言われている。例えば、男性で６０〜７０程度、女性で６５〜８０程度であるとも言われている。
また、脈拍数が早くなったときの限界的な数値（最大脈拍数とも呼ばれる）は、２２０から年齢を引いた値程度と言われており、一例をあげると、４５歳人の場合は、１分間に１７５拍である。
【００８２】
そこで、血圧測定判定回路２４５は、内部メモリ２４５ａに予めこれらの数値を図示しない入力手段を用いて記憶しておき、脈波データＰｏから算出した脈拍数と比較して安静状態か否かを比べる。そして、安静状態と判定したとき、血圧測定信号Ｍｓを出力する。
【００８３】
血圧測定信号Ｍｓは、脈拍数と所定の範囲とを比較してレベル分けする情報を含んでいてもよい。内部メモリ２４５ａに記憶していた一般的な脈拍数（男性で６０〜７０、女性で６５〜８０）と、脈波データＰｏから算出した脈拍数とを比較して安静状態をレベル分けしてもよいのである。
例えば、男性の場合の６０〜７０、女性の場合の６５〜８０という数値に対して、その範囲であればレベル３、それよりも５程度大小するならばレベル２、それを超えればレベル１などとしてもよい。
【００８４】
詳しくは後述するが、血圧測定判定回路２４５が血圧測定信号Ｍｓを出力し、血圧測定制御回路３７が脈拍数などの血圧情報Ｋｊを報知手段４に出力するが、このとき、測定した脈拍数をそのまま表示するようにしてもよい。そうすると、被験者は、自身の脈拍数を知ることができる。このとき、仮に脈拍数が高ければ、被験者は深呼吸などしてリラックスするようにできる。
【００８５】
第２の移動検出手段２４は、脈波データＰｏと血圧測定信号Ｍｓとを必要に応じ記憶し、血圧測定情報記憶信号Ｍｓｓとして出力する測定条件メモリ２４４を備えている。
【００８６】
この血圧測定信号Ｍｓが出力されたということは、血圧測定のための準備ができたということであり、血圧測定のために被測定者への拘束を開始する（後述するカフを加圧する）時期が決定したということである。
この実施形態で例示した構成では、被測定者の精神的安定状態又は肉体的安静状態の測定と、血圧測定のための適正位置の計測とを同時に行なうため、第２の移動検出手段２４から血圧測定のための準備ができたことを示す信号を出力することになっている。
【００８７】
計時回路６は、図示はしないが、例えば、水晶振動子などを用いて所定の周波数のクロック信号を出力する源振クロック部、そのクロック信号を分周して所定の分周信号を生成する分周回路部、その分周信号から時刻情報を生成する時刻生成部などで構成することができる。これらの構成は知られている時計回路で広く知られているものであるから、詳細な説明は省略する。
【００８８】
この計時回路６からは、第１の時間情報Ｔ１、第２の時間情報Ｔ２、第３の時間情報Ｔ３を出力している。
第１の時間情報Ｔ１は、ＡＤ変換器２２のサンプリング時間を決めるための時刻情報を有しており、例えば、パルス周期を１０ｍｓｅｃとした信号である。
第２の時間情報Ｔ２は、ＦＦＴ回路にデジタル信号Ｄｏを蓄積するための所定の時間を得るための時刻情報を有しており、例えば、パルス周期を１０〜３０ｓｅｃとしたパルス信号である。
第３の時間情報Ｔ３は、血圧測定を行なったときの日付や時間情報を有する時刻情報である。
【００８９】
［血圧測定手段３の構成説明］
次に、血圧測定手段３の構成を説明する。
血圧測定手段３は、カフ３１と、圧力センサ３２と、加圧ポンプ３３と、加圧制御回路３４と、排気バルブ３５と、排気制御回路３６と、血圧測定制御回路３７と、で構成している。
【００９０】
カフ３１は、手首の橈骨動脈を加圧して血流を阻止するための帯状の部材である。圧力センサ３２は、カフ３１の圧力を電気信号に変換して圧力信号Ｓｏとして出力する。加圧ポンプ３３は、カフ３１を加圧するためのポンプである。加圧制御回路３４は、血圧測定制御回路３７からの加圧制御信号Ｋｃに基づき加圧駆動信号Ｋｄを出力し加圧ポンプ３３を駆動する。
【００９１】
排気バルブ３５は、カフ３１の圧力を所定の割合で排気するためのバルブである。排気制御回路３６は、血圧測定制御回路３７からの排気制御信号Ｈｃに基づき排気駆動信号Ｈｄを出力し排気バルブ３５を制御する。
【００９２】
血圧測定制御回路３７は、圧力信号Ｓｏと、血圧測定信号Ｍｓと、必要に応じ血圧測定情報記憶信号Ｍｓｓとから、最高血圧や最低血圧や脈拍数や血圧測定信号Ｍｓからなる適正位置情報や血圧測定時の時刻情報などを含む血圧情報Ｋｊおよび適正報知信号Ｔｐを出力すると共に、血圧計１の動作を全般的に制御管理する。
血圧測定制御回路３７の血圧情報メモリ３７１は、その血圧情報Ｋｊを記憶するためのメモリ手段である。
なお、この血圧測定制御回路３７は、特に限定しないが、ワンチップマイクロコンピュータなどで構成すると、小型で低消費電力化ができるので便利である。
【００９３】
［報知手段４の構成説明：図３、図６］
次に、図３および図６を用いて報知手段４の構成を説明する。
図６は、報知手段４の報知例を説明する図である。報知手段４は、血圧計１の血圧測定部位が心臓の高さと同一となる適正位置にあるか否かや測定した血圧値を表示するものである。血圧測定制御回路３７が出力する最高及び最低血圧や脈拍数などの血圧情報Ｋｊを表示する表示部４１と、音声や音や光や振動で被測定者に報知する報知部４２と、から構成している。
【００９４】
図６に示すように、表示部４１は最高血圧値表示部４１１と、最低血圧値表示部４１２と、脈拍数表示部４１３と、脈拍条件表示部４１５ａを備えた測定条件表示部４１５と、血圧測定した日時などの時刻情報を表示する時刻表示部４１６と、を有しており、血圧測定手段３の血圧測定制御回路３７が出力する最高血圧や最低血圧や脈拍数や血圧測定信号Ｍｓからなる血圧情報Ｋｊを表示する。
【００９５】
脈拍条件表示部４１５ａは血圧測定信号Ｍｓのレベルに応じ、ＬＥＤなどを用いてマークや光で報知する。
例えば、血圧測定信号Ｍｓのレベルを３段階とすると、適正位置であるときをレベル３なら「○」を表示し、やや適正位置からずれているときのレベル２なら「△」を表示し、適正位置から大幅にずれているときのレベル１なら「×」を表示するような、複数のマークによる表示を行なうようにしてもよい。
【００９６】
また、ＬＥＤ光の色でレベルを表示するようにしてもよい。例えば、レベル３を「青」、レベル２を「黄」、レベル１を「赤」などとしてもよい。もちろん、マークや光を組み合わせて表示してもかまわない。
【００９７】
図６に示す例では、マークを用いて適正位置を報知する場合であって、図６（ａ）は、血圧測定信号Ｍｓがレベル３の場合であり「〇」マークを表示し、図６（ｂ）は、血圧測
定信号Ｍｓがレベル１の場合であり「×」マークを表示する例である。
【００９８】
なお、図６に示す例では、脈拍数が血圧測定に対して適正であるか、被測定部位が適正位置にあるかを分けて表現しておらず１つのマークを表しているが、もちろん、双方のマークを表示しても構わない。
【００９９】
図６に示す例では、最高血圧値表示部４１１、最低血圧値表示部４１２、脈拍数表示部４１３、測定条件表示部４１５、時刻表示部４１６の各要素が独立した表示体とする例を示しているが、表示部４１には１つの液晶表示装置などを用いて、各要素をエリアを分けて表示するようにしてもよい。
【０１００】
報知部４２は、ダイナミックスピーカやピエゾ音響素子などで構成することができる。アラーム音や、「血圧計の位置が適正位置です」又は「血圧計の位置が適切位置ではありません」などの音声で報知することができる。
このように、光やマーク、又は音声で適正位置に導くように案内することができるので、被測定者は血圧計を正しく適正位置にもって行くことができる。
【０１０１】
血圧測定時は、リラックスした姿勢で望むのがよいため、血圧計を胸部前面に位置しているときに、このように音声やアラーム音でその状況を報知できれば、目視による情報認識のために首を下に向けるなどする必要も無く、リラックスした姿勢を維持できて便利である。
【０１０２】
本発明の血圧計は、脈拍数を測定できるので血圧測定時の被測定者の状態を、測定した血圧値と共に記録できる。そして報知手段によりいつでもその情報を知ることができる。そうすれば、血圧値と被測定者の状態を管理することができるようになるので、被測定者の健康状態や仮面高血圧などを知るきっかけにもなる。
【０１０３】
［第１の実施形態の動作説明：図３、図４］
次に、図３および図４を用いて血圧計の第１の実施形態の動作を説明する。
まず、適正位置検出手段２の動作説明を行なう。
図３において、被測定者８が血圧計１を手首（図示せず）に装着し測定開始スイッチ５を押すと、マイクロ波ドップラセンサ２１から発信された約２．５ＧＨｚのマイクロ波Ｍｅは被測定者８で反射され、反射波Ｍｔとしてマイクロ波受信器２１２で受信される。
【０１０４】
マイクロ波ドップラセンサ２１は、マイクロ波Ｍｅに基づく送信マイクロ波信号Ｅｍｅと、反射波Ｍｔに基づく受信マイクロ波信号Ｅｍｔとによる電気信号Ｅｏを第１の移動検出手段２５のＡＤ変換器２２に出力する。マイクロ波ドップラセンサ２１の詳細の動作は図１を用いて詳述したので重複する説明は省略する。
【０１０５】
ＡＤ変換器２２は、電気信号ＥｏをＡＤ変換して時系列のデジタル信号Ｄｏとして信号飽和検出回路２３及び第２の移動検出手段２４に出力する。
【０１０６】
信号飽和検出回路２３は、デジタル信号Ｄｏを入力して、デジタル信号Ｄｏのデータ変化量が、所定の振幅範囲を予め定められた回数を超えると、第１の移動状態終了信号Ｄｓを第２の移動検出手段２４に出力する。
【０１０７】
第２の移動検出手段２４は、デジタル信号Ｄｏを入力として血圧測定信号Ｍｓを血圧測定手段３に出力する。
第２の移動検出手段２４のＦＦＴ回路２４２は、第２の時間情報Ｔ２に基づきデジタル信号Ｄｏを所定時間蓄積しＦＦＴ処理を行なう。このＦＦＴ処理は、入力信号を高速フー
リエ変換処理を行なうものである。すなわち、蓄積したデジタル信号Ｄｏをフーリエ変換し、個々の信号成分に分解した後、各成分を周波数スペクトラム上に表す処理を行い、基本波Ｂｆとして脈拍波検出回路２４３に出力する。
【０１０８】
脈拍波検出回路２４３は、基本波Ｂｆを入力して、基本波Ｂｆの中の脈拍に係わる周波数帯域の成分を抽出し、脈波データＰｏとして測定条件メモリ２４４及び血圧測定判定回路２４５に出力する。
【０１０９】
第１の移動検出手段２５の信号飽和検出回路２３及び第２の移動検出手段２４の動作を図２及び図４を用いてさらに詳述する。
図４は、適正位置検出手段２の第１の移動検出手段２５及び第２の移動検出手段２４の動作を説明するために模式的に示す波形図である。図４（ａ）は、横軸に時間（Ｔ）を、縦軸にデジタル信号Ｄｏの振幅を示しており、デジタル信号Ｄｏ、つまりマイクロ波ドップラセンサ２１から出力される信号の時間的変化を表したものである。
【０１１０】
図４（ａ）の区間Ａは、手首に血圧計１を装着し、測定開始スイッチ５を押した後、血圧計１を被測定者８の胸に近づくときの時間領域を表している。これは、図２（ａ）から図２（ｃ）に示した第１の移動状態を示している。
【０１１１】
図４（ａ）に示すＤｘは第１の飽和閾値、Ｄｍは第２の飽和閾値を示している。この第１の飽和閾値Ｄｘと第２の飽和閾値Ｄｍとの間が、所定の振幅範囲Ｄｒとなっている。また、Ｄｓは第１の移動状態終了信号である。
第１の飽和閾値Ｄｘ及び第２の飽和閾値Ｄｍは、予め決められた値を使うことができる。２つの閾値で決めているので、所定の振幅範囲Ｄｒを設定することができる。図４（ａ）に示す例では、第２の飽和閾値Ｄｍはゼロとしており、いわゆるゼロ飽和閾値となっており、所定の振幅値を閾値とした第１の飽和閾値Ｄｘ（いわゆるプラス飽和閾値）との間が所定の振幅範囲Ｄｒとなっている。
【０１１２】
区間Ａ（第１の移動状態）のとき、被測定者８の生体表面でのマイクロ波の反射に、腕の移動が加わるのでドップラシフトが増大し、デジタル信号Ｄｏが急激に大きくなる。第１の移動検出手段２５の信号飽和検出回路２３は、デジタル信号Ｄｏが所定の振幅範囲Ｄｒを超えた回数を計測する。この回数は、予め実験などによりその数を選ぶなどして設定しておくとよいが、例えば、１０回とする。デジタル信号Ｄｏが所定の振幅範囲Ｄｒを１０回超えると第１の移動状態の最中であることが検出される。
【０１１３】
図４（ａ）の区間Ａ´は、図４（ａ）の区間Ａの終わりの部分であって、第１の移動状態が終了したときの時間領域である。
図２（ａ）から図２（ｃ）及び図２（ｆ）を用いて説明したように、腕を大きく動かして被測定者８の胸部前面８ｂに腕を移動させる第１の移動状態は、血圧計１が図２（ｃ）に示す胸部前面８ｂの心臓に近い位置に来たときに終了する。すなわち、区間Ａ´でデジタル信号Ｄｏが所定の振幅範囲Ｄｒの範囲内に収まるようになると、腕を大きく動かしていない、つまり第１の移動状態は終了したと判断する。このときのデジタル信号Ｄｏを、第１の移動状態終了信号Ｄｓとしている。
【０１１４】
第２の移動検出手段２４は、第１の移動検出手段２５から出力されたデジタル信号Ｄｏを入力して信号処理をするが、第１の移動状態終了信号Ｄｓが入力されて初めてその処理を開始する。第１の移動状態が終了していないうちに信号処理を開始しないためである。
【０１１５】
図４（ａ）の区間Ｂは、手首を心臓近くに留置した状態の時間領域を示している。これは、図２（ｄ）から図２（ｅ）に示した第２の移動状態を示している。
区間Ｂでは、腕の大きな移動動作が無くなったものの、脈拍を検出するため及び適正位置を探すために小さく腕を動かしているため、所定の振幅範囲Ｄｒを超えないデジタル信号Ｄｏが検出される。この区間Ｂの波形には、心臓の拍動による波形も含まれている。
【０１１６】
図４（ｂ）は、図４（ａ）に示す区間Ｂにおけるデジタル信号Ｄｏの一部を拡大して示したものである。この時間領域を区間Ｄとする。このデジタル信号Ｄｏには、検出された被測定者８の心臓の拍動成分が含まれており、例えば、Ｐ１，Ｐ２，Ｐ３とする。
【０１１７】
図４（ｃ）は、ＦＦＴ回路２４２によりデジタル信号Ｄｏを高速フーリエ変換処理をした波形を模式的に示す図である。Ｘ軸が周波数、Ｙ軸を各周波数成分の信号の強さとした、周波数スペクトラム分布図である。
図４（ａ）の区間Ｂにおいて、第２の時間情報Ｔ２に基づきデジタル信号Ｄｏを所定時間蓄積して高速フーリエ変換を行い、図４（ｃ）に示すような周波数成分の基本波Ｂｆを得る。
【０１１８】
第２の移動検出手段２４は、基本波Ｂｆから所定の周波数範囲から脈波データＰｏを算出する。
図４（ｃ）に示すＬｆは第１の周波数閾値、Ｈｆは第２の周波数閾値である。この第１の周波数閾値Ｌｆと第２の周波数閾値Ｈｆとの間が、所定の周波数範囲Ｄｆ１となっている。この周波数範囲は、脈波を捉える範囲でなければならない。発明者が実験した結果によれば、例えば、第１の周波数閾値Ｌｆを０．５Ｈｚ近辺、第２の周波数閾値Ｈｆを３．０Ｈｚ近辺とすることで脈波を捉えることができた。
【０１１９】
そして、脈波検出回路２４３は、基本波Ｂｆのうち、所定の周波数範囲Ｄｆ１に含まれる周波数スペクトラム分布を脈波データＰｏとして出力するのであるが、脈波データＰｏが正常に検出されていれば、脈拍数も算出できるということであると共に、第２の移動状態は終了し、図２（ｅ）に示すように血圧計１と心臓８１とが同一の高さとなる適正位置になっているということである。
【０１２０】
血圧測定判定回路２４５は、入力した脈波データＰｏを分析する。脈波データＰｏは、周波数成分のスペクトラム分布であるから、その周波数成分やパワー強度、あるいは平均、分散、標準偏差などの統計処理を行なうことができる。そしてその処理結果で、血圧測定に適正であれば、血圧測定信号Ｍｓを血圧測定手段３に出力する。
【０１２１】
図４（ｃ）に示すように、所定の周波数範囲Ｄｆ１内の周波数スペクトラム分布が脈波データＰｏであるから、第１の周波数閾値Ｌｆと第２の周波数閾値Ｈｆとが適する閾値であれば、脈波として適する波形が必ず含まれている。統計処理により、例えば、脈波データＰｏに含まれる各波形のピークを算出し、そのピークの出現傾向などで脈波を判定してもよい。例えば、２回続けて波形の強さが上がるものを脈波であるとすることができる。
【０１２２】
この脈波データＰｏの分析により、脈波が特定でき、例えば１分間の脈拍の数である脈拍数も算出できる。
【０１２３】
そして、そのように統計処理した結果で、適正な脈拍数か適正位置かどうかを判定して血圧測定信号Ｍｓを出力するのである。
血圧測定信号Ｍｓとしては、適正度を表す１，２，３の３段階の数値などを用いることができる。例えば、脈拍数の場合は数値の範囲で適正度を決めることができる。適正位置の場合は、ピークの強さで適正度を決めることができる。ピークが最も強いところが適正位置であり、それよりも弱いところが適正位置からややずれている、などとすることができる。
【０１２４】
もちろん、図４（ｃ）の縦軸の各周波数成分の信号の強さに対して１つ又は複数の閾値を設け、その閾値を超えたもので適正度を分けることができる。この場合、その閾値は、事前に設定しておいてもよいし、脈波データＰｏを統計処理してその出現傾向から閾値を算出して用いるようにしてもよい。
【０１２５】
すでに説明したように、第２の移動検出手段２４の動作は、第１の移動検出手段２５の信号飽和検出回路２３の出力である第１の移動状態終了信号Ｄｓによって制御され、第１の移動状態終了信号Ｄｓが入力されていないと第２の移動検出手段２４は動作を行わない。こうすることによって、第１の移動状態検出の後に第２の移動状態検出がなされることが担保される。
【０１２６】
測定条件メモリ２４４は、脈波データＰｏと血圧測定信号Ｍｓを関連付けて記憶しておき、過去のデータ推移などが必要な場合に血圧測定情報記憶信号Ｍｓｓとして血圧測定手段３に出力する。
【０１２７】
［血圧測定手段３の動作説明：図３〜図６］
次に、図３を用いて血圧測定手段３の動作を説明する。
図３において、適正位置検出手段２の血圧測定判定回路２４５は、被測定者８の手首に装着された血圧計１の心臓高さに対する位置の適性度を、血圧測定信号Ｍｓとして血圧測定手段３８の血圧測定制御回路３７に出力する。
【０１２８】
血圧測定制御回路３７は、報知手段４の表示部４１に血圧測定信号Ｍｓを出力する。表示部４１の測定条件表示部４１５の脈拍条件表示部４１５ａには、血圧測定信号Ｍｓの例えば３段階のレベルに応じて「○」，「△」，「×」などのマークを表示する。
【０１２９】
血圧測定制御回路３７は、また、報知手段４の報知部４２に血圧測定信号Ｍｓを出力する。報知部４２は、血圧測定信号Ｍｓによって「体が血圧測定できる状態です」又は「体が血圧測定に適する状態にはありません」、「血圧計の位置が適正位置です」又は「血圧計の位置が適切位置ではありません」などと、音声による報知が行われる。
【０１３０】
もちろん、ブザー音で血圧測定信号Ｍｓの３段階のレベルに応じて異なる音色で報知することや、振動モータを用いて異なる振動で血圧測定信号Ｍｓの３段階のレベルを報知することなどとしてもよい。
【０１３１】
そして、血圧測定制御回路３７は、血圧測定信号Ｍｓに基づき以下に述べるように、血圧測定制御の動作を制御する。
【０１３２】
血圧計１が適正位置であるときをレベル３とすると、血圧測定制御回路３７は、レベル３の血圧測定信号Ｍｓが入力されると、加圧制御回路３４に加圧制御信号Ｋｃを出力し、加圧ポンプ３３は加圧制御回路３４が出力する加圧駆動信号Ｋｄを受けてカフ３１を加圧する
【０１３３】
圧力センサ３２によってカフ３１の圧力は刻々と血圧測定制御回路３７に出力され、カフ３１が所定の圧力まで加圧されると、血圧測定制御回路３７は加圧制御回路３４を制御して加圧ポンプ３３の動作を停止する。
【０１３４】
血圧測定制御回路３７は、排気制御信号Ｈｃを排気制御回路３６に出力し、排気制御回路３６は、排気制御信号Ｈｃに基づき排気バルブ３５を制御する排気駆動信号Ｈｄを排気バルブ３５に出力する。
【０１３５】
排気バルブ３５は、排気駆動信号Ｈｄに基づき、カフ３１の圧力が時間に対して一定の割合で減少する様にカフ３１を排気する。
カフ３１の圧力が次第に下がると、被測定者８の手首の血圧に応じていわゆるオシロメトリック理論に基づく圧力振動波形（図示せず）がカフ３１内に生じるので、圧力センサ３２によってこれを検出する。
【０１３６】
血圧測定制御回路３７は、圧力センサ３２の圧力信号Ｓｏの圧力振動波形から、最高血圧値や最低血圧値、脈拍数などを血圧情報Ｋｊとして血圧情報メモリ３７１に記憶すると共に、報知手段４の表示部４１に出力する。
【０１３７】
血圧情報メモリ３７１には、脈拍数などと血圧値とを対応させて記憶しておくことで、後から測定したときの体の状態を知ることができて便利である。
計時回路６から第３の時間情報Ｔ３を入力し、血圧測定を行なったときの日付や時間情報の時刻情報も合わせて記憶しておけば、後から血圧測定前の脈拍数や測定した血圧値などがいつのものか分かるので便利である。
【０１３８】
血圧測定中の適正位置の監視について説明する。
血圧測定中に血圧計１と心臓との高さが変わってしまうことがある。適性位置で血圧測定を開始しても、計測の途中で腕が下がるなどして適正位置から外れてしまうと、計測した血圧値は信用度のおけるものではなくなる。このように腕が適正位置から外れるなどの状態を被測定者が意図せずに起こしてしまったとき、被測定者自身では正しい血圧を測定したつもりでも、実際には正しくない血圧測定を行ってしまう。
【０１３９】
そのような状況を回避するため、血圧計１は、その位置が適正位置になり血圧測定を開始したあとも、マイクロ波センシングを継続し、適正位置であるか否かを監視することができる。
第２の移動状態が終了して血圧測定が開始されても、脈波データＰｏのピークを監視し、血圧測定信号Ｍｓを出力する。
血圧測定信号Ｍｓが変化したときに、報知手段４を用いて報知する。例えば、「適正位置からずれました」などと報知する。また、血圧測定信号Ｍｓのレベルが、大きく変化したとき、血測定を中断する。例えば、適正位置であるときのレベル３から、適正位置から大幅にずれているときのレベル１に変化したときには、腕が心臓位置からずれてしまったとし、報知手段４にて「血圧測定を中止します」などと報知するなどし、血圧測定を中断する。
【０１４０】
ところで、被測定者の都合で適正位置による血圧測定ではないが、とにかく血圧値を知りたいという場合もある。そのときは、測定開始スイッチ５などを操作して、強制的に血圧測定を開始することもできる。
【０１４１】
［動作フローの説明：図３、図５、図６］
次に、主に図５を用いて、血圧計１による血圧測定の動作フローを詳述する。図５は、血圧計１を手首に装着し、血圧測定が終了するまでの動作を説明するフローチャートである。以下、動作ステップはＳ１、Ｓ２、・・、Ｓｎのように略記する。
【０１４２】
まず、被測定者８は血圧計１を手首に装着し測定開始スイッチ５を押す。（Ｓ１）
すると、図３に示す適正位置検出手段２によって、マイクロ波センシング動作が開始される。（Ｓ２）
【０１４３】
被測定者８が血圧計１を装着した手首を胸部前面まで移動させる（第１の移動状態）。
その間、信号飽和検出回路２３によって、デジタル信号Ｄｏの振幅が所定の振幅範囲Ｄｒを超える回数を計測する。腕の大きな移動が終了するとデジタル信号Ｄｏは所定の振幅範囲Ｄｒに収まり、第１の移動状態が終了すると信号飽和検出回路２３が第１の移動状態終了信号Ｄｓを出力する。
【０１４４】
報知手段４の報知部４２によって音や光で、あるいは音声で「血圧計は適正な位置にあります」などの報知が行われる。
被測定者８が手首を胸に近づけ方が不足していたり、近づけ方が適切でない場合は、「血圧計の位置が適切ではありません」、又は「もう一度血圧計を胸に近づけて下さい」等の音声報知がなされる。（Ｓ３）
【０１４５】
図３に示す第２の移動検出手段２４のＦＦＴ回路２４２は、第２の時間情報Ｔ２に基づきデジタル信号Ｄｏを所定時間蓄積する。（Ｓ４）
【０１４６】
ＦＦＴ回路２４２は、デジタル信号ＤｏをＦＦＴ処理し、基本波Ｂｆを算出する。（Ｓ５）
【０１４７】
図３に示す第２の移動検出手段２４の脈拍波検出回路２４３にて、基本波Ｂｆより脈波データＰｏを出力する。
実験などにより、予め脈波の周波数スペクトル分布を０．５Ｈｚ近辺から３．０Ｈｚ近辺であるとすると、その周波数範囲に入る脈波データＰｏの検出をもって、胸部前面にて血圧計１と心臓とが同一の高さとなったことを知ることができる。これが第２の移動状態検出である。（Ｓ６）
【０１４８】
胸部前面にて血圧計１と心臓とが同一の高さとはならないときは、脈波データＰｏが検出されないから、警告音や警告表示を行う。例えば、「血圧計をさらに上に上げてください」や「血圧計をさらに下げてください」などを報知手段４を用いて報知する。
【０１４９】
また、胸部前面にて血圧計１と心臓との距離が離れすぎていても脈波データＰｏは検出されないことがある。そのときは、「さらに血圧計を胸に近づけてください」等の報知がなされる。
【０１５０】
図３に示す第２の移動検出手段２４の血圧測定判定回路２４５にて、血圧測定信号Ｍｓを、例えば３段階のレベルで出力する。そのレベルを報知手段４を用いて、脈拍数や心臓高さの適性度に応じ異なるブザー音やマークで報知する。そして、血圧測定手段３にて血圧測定が開始される。（Ｓ７）
【０１５１】
血圧測定中も血圧測定信号Ｍｓを監視してもよく、その結果に応じて、その内容を、報知手段４を用いて報知する。例えば、血圧計１が適正位置からずれてしまったときは、その旨を報知したり、血圧測定を中断する。（Ｓ７´）
【０１５２】
血圧測定手段３において、血圧測定が終了する。（Ｓ８）
また、血圧測定中もマイクロ波センシングを続け、適正位置からのずれを検出したとき（Ｓ７´）は、マイクロ波センシングと血圧測定とを終了する。（Ｓ８´）
【０１５３】
血圧測定制御回路３７の血圧情報メモリ３７１は、最高血圧値や最低血圧値および脈拍数などの血圧情報と血圧測定信号Ｍｓを記憶する。（Ｓ９）
【０１５４】
血圧情報メモリ３７１に記憶した情報は、報知手段４にて報知する。
測定開始スイッチ５を押して測定を終了する。（Ｓ１０）
【０１５５】
［第１の実施形態の効果説明］
まず、従来の電子血圧計が抱える根本的な問題を考えてみる。
従来の電子血圧計は、例えば、手首を被測定部位としたとき、血圧測定時の腕の状態を知ることはできなかった。つまり、腕自体が上がっているか下がっているかや、腕を無理に曲げるなどして無理な姿勢としていないかなどは分からなかった。血圧計と心臓との高さが同一であれば正しく血圧測定がなされたという考えでいたため、体に掛かる負担などは考慮に入れずに血圧測定がなされていた。
【０１５６】
また、血圧測定に臨むときの被測定者の肉体的安静状態や精神的な安定状態を知ることもできなかった。つまり、リラックスして血圧測定に臨んだのか、自身では落ち着いていると思い込んでいるが実は歩行など他の動作を行った直後で脈拍数が高い状態になっていたのかなどが分からなかった。
【０１５７】
しかし、本発明の血圧計は、その従来の電子血圧計が抱える根本的な問題を解決する。
本発明の血圧計は、血圧測定に臨むときの脈拍数も知り得ることができるため、腕自体を無理に上げたり曲げたりするような無理な姿勢で血圧測定に臨んだとしても、そのような姿勢でいれば体に負担が掛かるため脈拍数に現れる。このため、血圧測定開始直前において、血圧計と心臓とが同一の高さにあることはもちろん、体に無理のかからない姿勢で血圧測定ができたか否かということも分かる。つまり、血圧測定前に無理な姿勢かどうかを判断し、かつ適性位置で血圧測定ができるよう誘導できるという、いわば本質的な意味での正しい血圧測定を行なうことができるのである。
そして、血圧測定直前の脈拍数から、血圧測定に臨むときの被測定者の肉体的安静状態や精神的な安定状態も知ることができる。
【０１５８】
マイクロ波ドップラセンサにより正しく適正位置に腕部を誘導できた結果、その適正位置による血圧測定が行えたこと、そして血圧測定に臨むときの被測定者の肉体的安静状態や精神的な安定状態を表すとされる脈拍数を記録することもできるため、血圧測定後、いつでもそれらの情報を知り得ることができる。
すなわち、本発明の血圧計は、測定した血圧値が正しい測定によりなされたことが証明できることに加え、血圧値と被測定者の状態も記録できるのである。
【０１５９】
本発明の血圧計を用いれば、例えば、２４時間自由行動下での複数回の血圧測定による血圧値の変化を調べるときであっても、被測定者の肉体的安静状態や精神的な安定状態の変化も詳しく知り得ることができて便利である。
【実施例２】
【０１６０】
次に、図７〜図１０を用いて、本発明の血圧計の第２の実施形態について説明する。
第２の実施形態の特徴は、被測定者の呼吸数を検出する呼吸波検出回路をさらに備えている点である。マイクロ波センシングにより被測定者の呼吸波成分も検出し、血圧計１０の心臓の高さに対する位置検出は脈拍数で調べ、呼吸の情報を加味して身体の安静状態をより正確に把握するものである。
【０１６１】
なお、以下の説明において、同一要素には同一番号を付与するが、第１の実施形態と区別するため、血圧計は記号１０を付与し、第２の移動検出手段は記号２６を付与している。なお、重複する説明は省略する。
【０１６２】
図７は、第２の実施形態である血圧計１０の機能ブロック図であり、第２の移動検出手段２６の一部及び血圧測定手段３の一部を示している。図１０は第２の実施形態である血圧計１０の表示例を説明する図である。
【０１６３】
［第２の移動検出手段２６の構成説明：図７］
図７に示すように、適正位置検出手段２の第２の移動検出手段２６は、呼吸波検出回路２４６を備えている。呼吸波検出回路２４６はＦＦＴ回路２４２が出力する基本波Ｂｆを入力として基本波Ｂｆに含まれる呼吸に係わる情報を抽出し呼吸波データＲｃとして血圧測定手段３の血圧測定制御回路３７に出力する。
【０１６４】
［表示部４１の構成説明：図１０  ］
図１０に示すように、表示部４１は最高血圧値表示部４１１と、最低血圧値表示部４１２と、脈拍数表示部４１３と、脈拍条件表示部４１５ａ及び呼吸条件表示部４１５ｂを備えた測定条件表示部４１５と、血圧測定した日時などの時刻情報を表示する時刻表示部４１６と、に加えて呼吸数表示部４１４を有している。
血圧測定手段３の血圧測定制御回路３７が出力する最高血圧や最低血圧や脈拍数や呼吸数、血圧測定信号Ｍｓからなる血圧情報Ｋｊを表示する。
【０１６５】
図１０（ａ）は呼吸波データＲｃに関わる情報から表示する場合を示し、図１０（ｂ）は呼吸波データＲｃが入力されなかった場合の表示例である。呼吸条件表示部４１５ｂには、それぞれ「○」、「×」でその状態を示している。
【０１６６】
［第２の実施形態の動作説明：図７、図８、図１０］
次に、図７、図８、図１０を用いて血圧計１０の動作を説明する。
図８は、適正位置検出手段２の第２の移動検出手段２６の動作を説明する波形図である。図８において、図８（ａ）は、図４（ｂ）に、図８（ｂ）は図４（ｃ）にそれぞれ相当する。
【０１６７】
すでに説明したように、図４（ａ）の区間Ｂは、手首を心臓近くに留置した状態の時間領域を示しており、図２（ｄ）から図２（ｅ）に示した第２の移動状態を示している。区間Ｂでは、腕の大きな移動動作が無くなったものの、適正位置を探すために小さく腕を動かしているため、所定の振幅範囲Ｄｒを超えないデジタル信号Ｄｏが検出され、この区間Ｂの波形には、心臓の拍動による波形と、呼吸によって胸部が動く体動の波形とが含まれている。
【０１６８】
図８（ａ）は、図４（ａ）に示す区間Ｂにおけるデジタル信号Ｄｏの一部を拡大して示したものであり、図８（ａ）に示すデジタル信号Ｄｏには、検出された被測定者８の呼吸による成分も含まれており、例えば、Ｒ１，Ｒ２とする。
【０１６９】
図８（ｂ）は、ＦＦＴ回路２４２によりデジタル信号Ｄｏを高速フーリエ変換処理をした波形を模式的に示す図であり、周波数スペクトラム分布図である。この波形が基本波Ｂｆである。
【０１７０】
第２の移動検出手段２６は、基本波Ｂｆから所定の周波数範囲から脈波データＰｏ及び呼吸波データＲｃを算出する。
図８（ｂ）に示すＬｆｐは第３の周波数閾値、Ｈｆｐは第４の周波数閾値である。この第３の周波数閾値Ｌｆｐと第４の周波数閾値Ｈｆｐとの間が、所定の周波数範囲Ｄｆ２となっている。この周波数範囲は、呼吸を捉える範囲でなければならない。発明者が実験した結果によれば、例えば、第３の周波数閾値Ｌｆｐを０．０６Ｈｚ近辺、第４の周波数閾値Ｈｆｐを０．４Ｈｚ近辺とすることで安静状態における呼吸を捉えることができた。
【０１７１】
脈波検出回路２４３は、基本波Ｂｆのうち、所定の周波数範囲Ｄｆ１に含まれる周波数スペクトラム分布を脈波データＰｏとして出力するのであるが、脈波データＰｏが正常に
検出されていれば、第２の移動状態は終了し、図２（ｅ）に示すように血圧計１と心臓８１とが同一の高さとなる適正位置になっているということはすでに説明したとおりである。
【０１７２】
そして、呼吸波検出回路２４６は、基本波Ｂｆのうち、所定の周波数範囲Ｄｆ２に含まれる周波数スペクトラム分布を呼吸波データＲｃとして出力するのである。なお、呼吸波データＲｃは、第２の移動状態の検出には関係しない。
【０１７３】
呼吸波検出回路２４６が出力する呼吸波データＲｃを統計的に処理することにより呼吸数を得ることができる。血圧測定判定回路２４５は、この呼吸波データＲｃから呼吸数を算出できる。例えば、図示はしないが、計時回路６から時間情報を得て１分間の呼吸数として算出する。そして、その呼吸数が分かれば被測定者の精神的安定状態又は肉体的安静状態を知ることができる。
【０１７４】
ところで、一般的に安静時における成人の呼吸数は、１分間に１０〜１５と言われている。そこで、血圧測定判定回路２４５は、内部メモリ２４５ａに予めこの数値を記憶しておき、呼吸波データＲｃから算出した呼吸数と比較して安静状態か否かを比べる。そして、安静状態と判定したとき、血圧測定信号Ｍｓを出力する。
【０１７５】
脈拍数の場合と同様に、血圧測定信号Ｍｓは、呼吸数と所定の範囲とを比較してレベル分けしてする情報を含んでいてもよい。上述の如く、一般的な呼吸数は、１分間に１０〜１５である。そこで、血圧測定判定回路２４５は、内部メモリ２４５ａに記憶していたこれらの数値と、呼吸データＲｃから算出した呼吸数とを比較して安静状態をレベル分けしてもよいのである。
例えば、呼吸数１０〜１５という数値に対して、その範囲であればレベル３、それよりも３程度大小するならばレベル２、それを超えればレベル１などとしてもよい。
【０１７６】
血圧測定判定回路２４５が血圧測定信号Ｍｓを出力し、血圧測定制御回路３７が呼吸数などの血圧情報Ｋｊを報知手段４に出力するが、このとき、血圧測定信号Ｍｓの情報（レベル）に基づいて、マークで表示してもよい。例えば、レベル３なら「〇」、レベル２なら「△」、レベル１なら「×」などとしてもよい。
【０１７７】
また、測定した呼吸数をそのまま表示するようにしてもよい。そうすると、被験者は、自身の呼吸数を知ることができる。このとき、仮に呼吸数が高ければ、被験者は、知られているリラックスする呼吸法（例えば、ゆっくり鼻から吸い、ゆっくり口で吐くなど）を試しリラックスするようにできる。
【０１７８】
血圧測定手段３の血圧測定制御回路３７には、圧力センサ３２からの圧力信号Ｓｏと適正位置検出手段２の血圧測定判定回路２４５からの血圧測定信号Ｍｓが加えられる。
【０１７９】
血圧測定手段３の血圧測定制御回路３７は、血圧測定信号Ｍｓの情報により血圧測定の動作を行わないなどとすることもできる。例えば、呼吸波検出回路２４６が出力する呼吸波データＲｃが予め定められた範囲、例えば最大値Ｒｃｈと最小値Ｒｃｌの範囲になっていないときなどである。
【０１８０】
なお、呼吸波データＲｃとしては、以上述べたように呼吸数や呼吸周期などの原データの他に、呼吸数や呼吸周期の平均値や標準偏差など、各種の統計指標を用いることもできる。
【０１８１】
もちろん、血圧情報メモリ３７１には、呼吸数などと血圧値とを対応させて記憶してお
くこともできる。第１の実施形態と同様に脈拍数も記憶してもよい。こうすれば、後から測定したときの体の状態を知ることができて便利である。
計時回路６から第３の時間情報Ｔ３を入力し、血圧測定を行なったときの日付や時間情報の時刻情報も合わせて記憶しておけば、後から血圧測定前の呼吸数や測定した血圧値などがいつのものか分かるので便利である。
【０１８２】
血圧測定手段３の血圧測定制御回路３７は、血圧測定条件が整うと報知手段４の報知部４２は血圧測定が可能であることをブザー音などで報知し、血圧測定が開始される。
【０１８３】
［動作フローの説明：図７、図９、図１０］
次に、主に図９を用いて、血圧計１０による血圧測定の動作フローを詳述する。図９は、血圧計１０を手首に装着し、血圧測定が終了するまでの動作のうち、第２の移動状態検出のステップ以降を示すフローチャートである。以下、第１の実施形態と同様に動作ステップはＳ６１、Ｓ７、・・、Ｓｎのように略記する。
【０１８４】
図９において、Ｓ１からＳ５までは第１の実施形態と同じなので説明は省略するものであり、Ｓ６１においては、図７の第２の移動検出手段２６の呼吸波検出回路２４６は、第３の周波数閾値と第４の周波数閾値である０．０６Ｈｚ〜０．４Ｈｚの範囲の周波数成分を呼吸波データＲｃとして検出する。脈波検出回路２４３による脈波データＰｏの検出は第１の実施形態と同じなので説明は省略する。（Ｓ６１）
【０１８５】
Ｓ７からＳ８は第１の実施形態と同じなので説明は省略する。
Ｓ９１においては、血圧値と測定条件と呼吸数をメモリに記憶する。（Ｓ９１）
これ以降のステップは、第１の実施形態と同じなので説明は省略する。
【０１８６】
［第２の実施形態の効果説明］
以上説明したように、本発明の血圧計１０によれば、適正位置による血圧測定を行ったこと、そして血圧測定に臨むときの被測定者の肉体的や精神的な状態を表すとされる脈拍数に加え呼吸数を測定及び記録することで、血圧測定後、いつでもそれらの情報を知り得ることができる。
つまり、測定した血圧値が正しい測定によりなされている信頼できる値であるかが証明できることに加え、血圧値と被測定者の状態も記録できるので、例えば、２４時間自由行動下での複数回の血圧測定による血圧値の変化を調べるときであっても、被測定者の肉体的や精神的な安定状態の変化もより詳しく知り得ることができるので便利である。
【０１８７】
以上の第２の実施形態の説明にあっては、マイクロ波センシングにより被測定者の脈波と呼吸波成分とを検出し、血圧計の心臓の高さに対する位置検出は脈拍数で調べ、呼吸の情報で身体の安静状態を把握するものを示した。もちろん、脈波検出の部分を省略して呼吸のみで行なってもよい。つまり、血圧計の高さに対する位置検出も呼吸を用いて行なってもよいのである。
【０１８８】
［応用例１の説明］
第１の実施形態と第２の実施形態とを用いて、本発明の血圧計を説明したが、本発明の主旨を逸脱しない範囲での変更はもちろん可能である。
例えば、血圧測定判定回路２４５の内部メモリ２４５ａや血圧測定制御回路３７の血圧情報メモリ３７１などに、被測定者の平常時の脈拍数や呼吸数を予め記録したり、過去に測定したこれらの数値から平均的な脈拍数や呼吸数を算出して記録しておき、血圧測定に望むときに、新たに測定した脈拍数や呼吸数と記録してあるそれらとを比較して、「通常よりも脈拍数が高いです」や「通常よりも呼吸数が多いです」などと報知手段４を用いて報知してもよい。
【０１８９】
そうすれば、被測定者が自身のそのときの体調などを知ることができて便利である。また、血圧測定に臨むときに被測定者が無意識のうちに腕を無理に曲げていたなどの体に負担の掛かる姿勢をとっていたとしても、通常よりも高い脈拍数や呼吸数であれば、報知手段４を用いて「リラックスしましょう」や「正しい姿勢で測定しましょう」などと報知することにより、正しい血圧測定に案内することもできる。
【０１９０】
上述の応用例を、第１の実施形態を例にして説明する。
予め基底脈拍数を記憶しておく例である。例えば、就寝直前、起床直前、座位３０分以上経過したときなどは、被測定者が安静になっているときとされており、このような状況で測定した脈拍数を基底安静時脈拍数と呼ぶ。この基底安静時脈拍数を予め測定し記憶しておけば、これを現在の脈拍数（血圧を測定の臨むときの脈拍数）と比較してその差分量（ΔＰＬＳ）から、被測定者の肉体的安静状態や精神的安定状態を把握することができる。差分量は以下の式を用いる。
【０１９１】
ΔＰＬＳ＝現在の脈拍数−基底安静時脈拍数
【０１９２】
そして、血圧測定判定回路２４５は、例えば、ΔＰＬＳが「１０未満」であればレベル３とし、ΔＰＬＳが「１０以上」であればレベル２、ΔＰＬＳが「２０以上」であればレベル１と判定し血圧測定信号Ｍｓとして出力する。
【０１９３】
［応用例２の説明］
また、別の応用もある。再び第１の実施形態を例にして説明する。
脈波間隔のゆらぎ成分の度合いを用いる例であって、自律神経のバランスからストレスの掛かり具合を知るのである。
【０１９４】
まず、所定の時間（例えば、数１０秒）脈波を測定する。血圧計と心臓との適正位置を計測しているときに脈波を取得してもよい。そして、その脈波を線形予測分析する信号処理を実施する。すると、線形予測残差に含まれる脈波間隔のゆらぎを知ることができる。
【０１９５】
つまり、線形予測分析して得られる脈波間隔を時系列的に並べて周波数解析を行なう。そうすると、０．１５〜０．４Ｈｚの高周波数成分（Ｈｆ）と、０．０５〜０．１５Ｈｚの低周波数成分（ＬＦ）とに周波数ピークを見い出すことができる。
一般に、高周波数成分（Ｈｆ）は、副交感神経の高揚が反映され、低周波数成分（Ｌｆ）は、交感神経及び副交感神経の高揚が反映されるといわれている。ストレスが掛かっているときに、交感神経が高揚しているといわれることから、高周波数成分（ＨＦ）における低周波数成分（ＬＦ）の割合（Ｘ）から、自律神経のバランスを知ることができる。
【０１９６】
具体的には、線形予測分析して得られる脈波間隔を時系列的に並べて周波数解析を行なったあと、その波形のうち、高周波数成分（ＨＦ）と低周波数成分（ＬＦ）との面積比を割合（Ｘ）とする。数式は次式のようになる。
【０１９７】
Ｘ＝ＬＦ／ＨＦ
【０１９８】
そして、血圧測定判定回路２４５は、例えば、Ｘが「０．５未満」であればレベル３とし、Ｘが「０．６以上」であればレベル２、Ｘが「１．０以上」であればレベル１と判定し血圧測定信号Ｍｓとして出力する。
【０１９９】
以上説明した実施形態では、マイクロ波ドップラセンサを用いることで、被測定者の脈拍や呼吸の測定と血圧計の適正位置検出の測定とを同時に行なう例を示したが、これを別
々に行なっても構わない。もちろん、適正位置検出を省略してもよいことは無論である。
【０２００】
また、本発明の血圧計を手首に装着する例を示したが、もちろん上腕部などに装着してもよい。また、カフと血圧計本体とが一体となる構成を例にして説明したが、別体としてもよいことは無論である。
【０２０１】
大切なことは、血圧計を装着した被装着部位と心臓との高さが同一となる点と、体に負担の掛からない姿勢で血圧測定の臨む点とであるから、体に負担が掛からない範囲であっても腕部を不必要に持ち上げるなどの不自然な姿勢をしないこともまた装置運用上は重要である。
【産業上の利用可能性】
【０２０２】
この発明は、被測定者の脈拍や呼吸を測定し、その結果から被測定者の精神的安定状態又は肉体的安静状態を正しく知ることができる。このため、正しい血圧測定ができる血圧計として好適である。
【符号の説明】
【０２０３】
１、１０  血圧計
２  適正位置検出手段
２１  マイクロ波ドップラセンサ
２１１  マイクロ波発信器
２１２  マイクロ波受信器
２１３  マイクロ波ドップラ復調器
２２  ＡＤ変換器
２３  信号飽和検出回路
２４、２６  第２の移動検出手段
２５  第１移動検出手段
２４１  基本波蓄積回路
２４２  ＦＦＴ回路
２４３  脈波検出回路
２４４  測定条件メモリ
２４５  血圧測定判定回路
２４５ａ  内部メモリ
２４６  呼吸波検出回路
３  血圧測定手段
３１  カフ
３２  圧力センサ
３３  加圧ポンプ
３４  加圧制御回路
３５  排気バルブ
３６  排気制御回路
３７  血圧測定制御回路
３７１  血圧情報メモリ
３８  血圧計測定部
４  報知手段
４１  表示部
４１１  最高血圧表示部
４１２  最低血圧表示部
４１３  脈拍数表示部
４１４  呼吸数表示部
４１５  測定条件表示部
４１５ａ  脈拍条件マーク表示部
４１５ｂ  呼吸条件マーク表示部
４１６  時刻表示部
４２  報知部
５  測定開始スイッチ
６  計時回路
８  被測定者
８ａ  左腕
８ｂ  胸部前面
８１  心臓
Ｍｅ  マイクロ波
Ｍｔ  反射波
Ｅｍｅ  送信マイクロ波信号
Ｅｍｔ  受信マイクロ波信号
Ｅｏ  電気信号
Ｄｏ  デジタル信号
Ｄｓ  第１の移動状態終了信号
Ｄｒ  所定の振幅範囲
Ｄｘ  第１の飽和閾値
Ｄｍ  第２の飽和閾値
Ｄｆ１，Ｄｆ２  所定の周波数範囲
Ｂｆ  基本波
Ｌｆ  第１の周波数閾値
Ｈｆ  第２の周波数閾値
Ｌｆｐ  第３の周波数閾値
Ｈｆｐ  第４の周波数閾値
Ｍｓ  血圧測定信号Ｍｓ
Ｍｓｓ  血圧測定情報記憶信号
Ｐｏ  脈波データ
Ｐ１，Ｐ２，Ｐ３  心臓の拍動成分
Ｒｃ  呼吸波データ
Ｒｃｈ  最大値
Ｒｃｌ  最小値
Ｒ１，Ｒ２  呼吸による成分
Ｓｏ  圧力信号
Ｋｃ  加圧制御信号
Ｈｃ  排気制御信号
Ｋｄ  加圧駆動信号
Ｈｄ  排気駆動信号
Ｔ１  第１の時間情報
Ｔ２  第２の時間情報
Ｔ３  第３の時間情報
【図１】
2012157435.tif 000003
【図２】
2012157435.tif 000004
【図３】
2012157435.tif 000005
【図４】
2012157435.tif 000006
【図５】
2012157435.tif 000007
【図６】
2012157435.tif 000008
【図７】
2012157435.tif 000009
【図８】
2012157435.tif 000010
【図９】
2012157435.tif 000011
【図１０】
2012157435.tif 000012